(57)【特許請求の範囲】
【請求項１】
かつら台材の周縁部が可撓性面状部材からなるかつらにおいて、当該可撓性面状部材の頭部接触面側の全面にネット状部材が前記可撓性面状部材の内周端と外周端を固着箇所として付設され、この固着されている内周端と外周端との間のネット状部材は、前記可撓性面状部材と非固着関係にあることを特徴とするかつら。
【請求項２】
ネット状部材が付設されてなるかつら台材の周縁部上にさらに可撓性面状小片が、その一部を固着箇所としてネット状部材上に付設されてなる請求項１に記載のかつら。
【請求項３】
かつらの頭部への止着方法において、請求項１記載のかつらを装着者の頭部に載せ、次いでかつら台材の周縁部近傍の自毛を、前記可撓性面状部材の内周端と外周端に両端を固着したネット状部材の前記可撓性面状部材に固着されていないネットに挿通した後、当該ネットに掛止し折り返して前記かつら台材の周縁部外側に引き出し、次いで前記挿通し掛止した箇所に毛髪用接着剤を塗布し固化させてかつらを自毛に固定することを特徴とするかつらの止着方法。
【発明の詳細な説明】
【０００１】
【発明の属する技術分野】
本発明はかつら並びにかつらを頭部に止着する方法に関する。
【０００２】
【従来の技術】
従来、かつらの頭部への止着方法としては以下のような手法があった。
従来方法その１として、かつらをヘアピン或は櫛歯を有するかつら用ストッパーで自毛（かつら装着者自身の頭髪）を挟持してかつらを止着する方法がある。
また、従来方法その２としては、かつら台材の裏面の縁部に粘着剤が付着された両面テープを貼付しその粘着力で自毛又は直接頭皮に固定しかつらを止着する方法がある。
さらに、従来方法その３として、かつら台材の裏面の縁部に毛髪用接着剤を塗布しかつらを自毛に固定してかつらを止着する方法がある。
【０００３】
しかし上記の方法にはいずれも解決すべき問題点があった。
即ち、ヘアピン等でかつらを自毛に止着する方法（前記その１）においては、かつらの着脱は容易であるがヘアピンやストッパーにある程度の厚みがあるためかつら止着箇所に嵩張りが生じ、長期間の装着に違和感が生じる場合があった。
【０００４】
また、両面粘着テープを使用してかつらを自毛に止着する方法（前記その２）においては、かつらの着脱が容易でかつら止着箇所の嵩張りも生じないが、粘着力が弱いため頭皮から出る汗や脂肪によって剥離してしまい長期間の装着には無理があった。さらに、この方法においてはかつら台材の裏面に対する粘着剤の粘着力がそれほど強力ではないため、かつら台材から剥離する場合もあった。
【０００５】
また、接着剤を塗布する方法（前記その３）においては、塗布された接着剤がかつらに圧迫されて必要以上に広範囲に広がり頭皮や毛根に影響が生じる懸念もあった。また、接着剤によるかつら台材の変形や変色の恐れがあり、さらに、この方法においては、かつらを再装着するときに付着している接着剤固化物をかつら台材から剥離し除去する必要があるが、その際にかつら台材を損傷させてしまう問題点もあった。
【０００６】
【発明が解決しようとする課題】
本発明は、上記従来のかつら止着方法における各問題点を総合的に解決するために為されたものであり、その目的とするところは、かつらを自毛に止着する箇所が嵩張らず長期間の装着においても違和感が生じず、また、長期間確実に止着でき、頭皮や毛根に影響が生じる懸念が無いかつら止着用部材並びにかつらの止着方法を提供することにある。
また、従来の止着部材に比べてかつらの止着力が強化され、かつ頭部からの取り外しが簡単かつ短時間で済み、しかも取り外し箇所が奇麗であり、さらに、かつら台材を損傷、変形、変色させずに取付け可能なかつら止着用部材を提供することにある。
【０００７】
【課題を解決するための手段】
すなわち、本発明に係るかつら（請求項１）は、「かつら台材の周縁部が可撓性面状部材からなるかつらにおいて、当該可撓性面状部材の頭部接触面側の全面にネット状部材が前記可撓性面状部材の内周端と外周端を固着箇所として付設され、この固着されている内周端と外周端との間のネット状部材は、前記可撓性面状部材と非固着関係にあることを特徴とするかつら」である。また、「ネット状部材が付設されてなるかつら台材の周縁部上にさらに可撓性面状小片が、その一部を固着箇所としてネット状部材上に付設されてなる」こと（請求項２）を特徴とする。
【０００８】
また、本発明に係るかつらの止着方法（請求項３）は、「かつらの頭部への止着方法において、請求項１記載のかつらを装着者の頭部に載せ、次いでかつら台材の周縁部近傍の自毛を、前記可撓性面状部材の内周端と外周端に両端を固着したネット状部材の前記可撓性面状部材に固着されていないネットに挿通した後、当該ネットに掛止し折り返して前記かつら台材の周縁部外側に引き出し、次いで前記挿通し掛止した箇所に毛髪用接着剤を塗布し固化させてかつらを自毛に固定することを特徴とするかつらの止着方法」である。
【０００９】
【発明の実施の形態】
（１）かつら
本発明に係るかつらは、そのかつら台材の周縁部が可撓性面状部材からなるものであり、当該可撓性面状部材上にネット状部材を付設したものである。
【００１０】
以下本発明を図面に示す実施例に基づいて説明する。
図１（ａ）は本発明に係るかつらの台材の裏面（かつら装着者の頭部に接触する面側）の平面図であり、図１（ｂ）はかつら台材の表面（義毛が植毛されている面側）から見た斜視図である。
図１において、かつら台材１は、ネット状部材１１と可撓性面状部材１２から構成されている。
【００１１】
ネット状部材１１は合成繊維、植物繊維や動物繊維を撚って又は束ねて糸状体としたもの、或いは太めの繊維単体を網状に形成されたものを使用し、素材としては耐久性のあるナイロン、ポリエステル等の合成繊維が好適である。
【００１２】
一方、可撓性面状部材１２は織布、不織布等の布地や、ポリエチレンやポリウレタン等の樹脂からなるシート又はフィルム状の柔軟な基材が使用される。なお、例えば、前記ネット状部材１１にポリウレタン溶液をコーティングして被膜状のポリウレタンを形成させ固化させて面状部材１２とすることもできる。
かつらの止着時においては、当該面状部材１２を「接着台」として自毛を接着剤で固定するため、接着剤を塗布した場合に反対面に浸出しないような基材が好適であり、織布の場合には織り目の細かいものを使用することが好ましく、特に接着剤を吸収しないシート又はフィルム状のポリエチレンやポリウレタン等の樹脂を基材とすることが好ましい。
【００１３】
図１において、ネット状部材１１は、かつら台材の周縁部を形成する可撓性面状部材１２の全面に付設され、且つネット状部材１１は部材１２の内周端１２ａと外周端１２ｂで固着されている。すなわち、内周端１２ａと外周端１２ｂの中間に位置するネット１１ａは可撓性面状部材１２に固着されない状態である。
従って、ネット１１ａに自毛を挿通し、ネットに自毛を掛止した状態で接着剤を塗布し自毛とかつら台材を固定することができる。
【００１４】
なお、ネット状部材１１は、可撓性面状部材１２の内周端１２ａと外周端１２ｂの各々の全域で固着される必要はなく、所要の箇所で部分的に固着されていても良い。
また、ネット状部材１１の可撓性面状部材１２への固着方法としては、接着剤を使用するか又は縫着で行うが、固着力の強化のために両手段を併用して行うことが好ましい。
【００１５】
また本発明のかつらは、ネット状部材が付設されてなるかつら台材の周縁部上にさらに可撓性面状小片が、その一部を固着箇所として付設されてなることが好ましい。
以下図面に示す実施例に基づいて説明する。
図２（ａ）は、かつら台材の裏面（かつら装着者の頭部接触面側）の平面図である。
また、図２（ｂ）は図２（ａ）におけるＡ−Ａ線要部拡大断面図である。
図２において、かつら台材１の構成部材は、ネット状部材１１、可撓性面状部材１２及び可撓性面状小片１３である。
かかる可撓性面状小片１３は、図２（ｂ）に示すように、可撓性面状部材１２上に付設されたネット状部材１１上に付設される。
従って、ネット状部材１１は可撓性面状部材１２と可撓性面状小片１３に挟まれるように構成されているので、自毛が挿通・掛止されたネットに接着剤を塗布しても小片１３で受け抑えられるので、頭部側に広がる恐れはなく頭皮や毛根への影響が解消される。
【００１６】
小片１３は、その一部、例えば端部のみを可撓性面状部材１２への固着箇所として付設されており、固着箇所以外は自由なのでネットに挿通・掛止された自毛を部材１２との間に挟み込むようにして抑えることができる。
かかる小片１３は、かつら台材の大きさに依拠して適当な個数を配置する。
また、大きさは、幅は可撓性面状部材の幅（内周端１２ａと外周端１２ｂの距離）と同等かそれ以下であり、一方、長さは任意である。
小片１３の可撓性面状部材１２への固着は、接着剤を使用して又は縫着で、或いは両手段を併用してなされる。
【００１７】
なお、小片１３の基材としては、前記した可撓性面状部材１２と同様のものを使用でき、特に、接着剤を吸収しないシート又はフィルム状のポリエチレンやポリウレタン等の樹脂を基材とすることが好ましい。
【００１８】
（２）かつらの止着方法
以下本発明に係るかつらの止着方法を図面に示す実施例に基づいて説明する。図３の（ａ）、（ｂ）、（ｃ）は、上記した本発明に係るかつらを頭部に止着する方法を示した概略説明図である。
【００１９】
図３（ａ）に示すように、まず、上記した本発明に係るかつら２を装着者の頭部に載せる。
次いで、図３（ｂ）に示すように先端にフックが付いた操作棒４をネット状部材１１のネットの間に挿入してかつら台材１の周縁部近傍の自毛３、好ましくは当該自毛３のうちかつら台材１の周縁部外側の自毛３１をフックに引っ掛けた後に、フックをネット状部材１１に引き上げることによりネットの間に自毛を挿通させる。
【００２０】
次いで、図３（ｃ）に示すように、挿通した自毛をネットに掛止して折り返し、かつら台材１の周縁部外側に引き出し、次いで前記自毛をネットに挿通し掛止した箇所に接着剤５を塗布し固化させてかつらを固定し頭部に止着する。
【００２１】
なお、可撓性面状小片１３（図示せず）がネット状部材１１上に付設されている場合には、ネットに挿通・掛止された自毛を当該小片１３と可撓性面状部材１２との間に挟み込むようにし、当該箇所に接着剤５を塗布し固化させてかつらを固定する。
【００２２】
なお、接着剤５としては、ラテックス系、シリコン系、エポキシ系又はポリウレタン系等の毛髪用接着剤が使用されるが、中でもラテックス系の水性エマルジョンが好ましい。
【００２３】
かつら台材１の周縁部近傍の自毛３のうち周縁部外側の自毛３１のみをネット状部材１１上に引き上げてかつら２の止着用に使用することが好ましい。というのは、自毛３は下向き（頭頂部から頭側部に向かう方向）に生えているので、周縁部外側の自毛３１のみを引き上げてネットに掛止し、自毛が生えている下向きの方向に折り返してかつら台材の周縁部外側に引き出せば、自毛の生える方向に逆らうことがなく、かつら２の浮き上がりを防止できるからである。
【００２４】
【発明の効果】
（１）本発明に係るかつらの止着箇所は、ともに薄地の可撓性面状部材とネット状部材とから構成されており、かつらを自毛に固定し頭部に止着する箇所が嵩張らず長期間装着においても違和感が生じない。
【００２５】
（２）本発明に係るかつらは、自毛を接着剤で固定しかつらが止着されるので長期間確実に固定できる。
また、自毛を掛止させるネットがあるので接着剤を単独で使用する場合に比べ一層強固に固定できる。
【００２６】
（３）さらに、接着剤の広がりを抑止する可撓性面状小片をネット状部材上に付設すれば、自毛が挿通・掛止されたネットに接着剤を塗布しても当該小片で受け抑えられるので、頭部側に広がる恐れはなく頭皮や毛根への影響が解消される。
【００２７】
（４）ネット状部材をかつら台材裏面の周縁部に固着するために塗布される接着剤は、可撓性面状部材の内・外周端の限られた箇所だけであり、かつら裏面の周縁部全域ではないので、接着剤等によるかつら台材の損傷や、変形、変色を最小限に防止することができる。
【００２８】
（５）本発明に係るかつらの止着方法によれば、かつらの止着箇所は前記のように製作されているので、前述のように装着感に優れ、かつ強固に止着されるので長期間の装着でも外れることがなく、また、装着したままで頭髪をシャンプーすることが可能となる。
また、かつら台材の周縁部近傍の自毛のうち周縁部外側の自毛のみをネット状部材に引き上げて固定し、次いで自毛の生えている下向きの方向に折り返してかつら台材の周縁部外側に引き出せば、さらにかつらの浮き上がり防止を図ることが可能となる。
【図面の簡単な説明】
【図１】図１（ａ）はかつら台材の裏面（かつら装着者の頭部側）の平面図であり、図１（ｂ）はかつら台材の表面側から見た斜視図である。
【図２】図２（ａ）はかつら台材の裏面（かつら装着者の頭部側）の平面図であり、図２（ｂ）は図２（ａ）におけるＡ−Ａ線要部拡大断面図である。
【図３】図３の（ａ）、（ｂ）、（ｃ）の各図は上記本発明に係るかつらを頭部に止着する方法を示した概略説明図である。
【符号の説明】
１        かつら台材
２        かつら
３        自毛
４        先端にフックが付いた操作棒
５        接着剤
１１      ネット状部材
１１ａ    可撓性面状部材の内周端と外周端の中間に位置するネット
１２      可撓性面状部材
１２ａ    可撓性面状部材の内周端
１２ｂ    可撓性面状部材の外周端
１３      可撓性面状小片
３１      かつら台材の周縁部外側の自毛
【図１】
0004351301.tif 000002
【図２】
0004351301.tif 000003
【図３】
0004351301.tif 000004